(57)【要約】【課題】ＨＳＤＰＡ通信を切断せずにハンドオーバすることができる移動通信システムを提供する。【解決手段】移動通信システムは、複数の基地局装置と、移動端末を備える。移動端末は、複数の基地局装置との間でＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信を行う。移動端末は、ハンドオーバ元の基地局装置とハンドオーバ先の基地局装置とからＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）を同時に受信する受信部を有する。【選択図】図２
2014053922.tif 000002
【特許請求の範囲】
【請求項１】
複数の基地局装置と、
前記複数の基地局装置との間でＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信を行う移動端末と、
前記移動端末は、ハンドオーバ元の基地局装置とハンドオーバ先の基地局装置とからＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）を同時に受信する受信部を有する
移動通信システム。
【請求項２】
前記受信部は、前記ハンドオーバ先の基地局装置から自端末宛の情報を検出した時に前記ハンドオーバ元の基地局装置からのＨＳ−ＳＣＣＨ受信を停止する
請求項１記載の移動通信システム。
【請求項３】
前記複数の基地局装置の各々は、ソフトハンドオーバ中の前記移動端末からの受信品質報告に基づいて、最も受信品質のよい基地局装置からのみ前記動端末宛のＨＳ−ＳＣＣＨ及びＨＳ−ＰＤＳＣＨ（Ｈｉｇｈ  Ｓｐｅｅｄ  Ｐｈｙｓｉｃａｌ  Ｓｈａｒｅｄ  Ｄｏｗｎｌｉｎｋ  Ｃｈａｎｎｅｌ）を送信する切替えを行う
請求項１又は請求項２記載の移動通信システム。
【請求項４】
基地局装置との間でＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信を行い、ハンドオーバ元の基地局装置とハンドオーバ先の基地局装置とからＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）を同時に受信する受信部を有する
移動端末。
【請求項５】
前記受信部は、前記ハンドオーバ先の基地局装置から自端末宛の情報を検出した時に前記ハンドオーバ元の基地局装置からのＨＳ−ＳＣＣＨ受信を停止する
請求項４記載の移動端末。
【請求項６】
移動端末と基地局装置との間でＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信を行うステップと、
前記移動端末が、ハンドオーバ元の基地局装置とハンドオーバ先の基地局装置とからＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）を同時に受信するステップと
を具備するハンドオーバ制御方法。
【請求項７】
前記ハンドオーバ先の基地局装置から自端末宛の情報を検出した時に前記ハンドオーバ元の基地局装置からのＨＳ−ＳＣＣＨ受信を停止するステップを更に具備する請求項６記載のハンドオーバ制御方法。
【請求項８】
前記基地局装置が、ソフトハンドオーバ中の移動端末からの受信品質報告に基づいて、最も受信品質のよい基地局装置からのみ当該移動端末宛のＨＳ−ＳＣＣＨ及びＨＳ−ＰＤＳＣＨ（Ｈｉｇｈ  Ｓｐｅｅｄ  Ｐｈｙｓｉｃａｌ  Ｓｈａｒｅｄ  Ｄｏｗｎｌｉｎｋ  Ｃｈａｎｎｅｌ）を送信する切替えを行う請求項６又は請求項７記載のハンドオーバ制御方法。
【発明の詳細な説明】
【技術分野】
【０００１】
本発明は、携帯端末装置を使用する移動通信システムとハンドオーバ制御方法に関し、特にＨＳＤＰＡ（Ｈｉｇｈ Ｓｐｅｅｄ Ｄｏｗｎｌｉｎｋ Ｐａｃｋｅｔ
Ａｃｃｅｓｓ）通信におけるハンドオーバ制御方法に関する。
【背景技術】
【０００２】
ＨＳＤＰＡ通信においては、移動端末がコードを共有して使用する共通チャネルであるＨＳ−ＰＤＳＣＨ（Ｈｉｇｈ Ｓｐｅｅｄ Ｐｈｙｓｉｃａｌ Ｓｈａｒｅｄ
Ｄｏｗｎｌｉｎｋ Ｃｈａｎｎｅｌ）を使用して通信を行っており、基地局からＨＳ−ＰＤＳＣＨが送信されるタイミングは基地局毎に固有となっている。そのため、ＨＳＤＰＡ通信では、複数の基地局からタイミングを合わせて同一のデータを送信し、移動端末側で合成するソフトハンドオーバを行うことができない。このため、ＨＳＤＰＡ通信中に移動端末の移動等によってハンドオーバしなければならない場合には、一旦、現在通信中の基地局とのＨＳＤＰＡ通信を切断し、その後、次の基地局との通信を開始するハードハンドオーバを行っている。こうして、ハンドオーバに際し、通信の途切れる時間が発生する。本来、切断が必要ない、基地局間でＨＳＤＰＡチャネルのタイミングが一致している場合においても、上記と同様の処理が行われ、不必要な切断時間が発生している。このように、セクタ間でのハンドオーバ等、基地局間で送信タイミングがそろっている場合には、必ずしも上記のように、一旦、通信を切断する必要がないにもかかわらず、上記と同様の処理が行われ、無駄な切断時間が発生している。
【０００３】
ここで、移動通信システムにおいては、次の基地局の選択方法として、移動端末における受信品質を、基地局を選択する際の基準として用いる方法が、特開平１−１９０１３７号公報、特開２００１−２３８２３９号公報に提案されている。上記のように、基地局を選択する基準として移動端末における受信品質を用いる方法でも、この無駄な切断時間が発生するという問題を解決することはできない。
【先行技術文献】
【特許文献】
【０００４】
【特許文献１】特開平１−１９０１３７号公報
【特許文献２】特開２００１−２３８２３９号公報
【発明の概要】
【発明が解決しようとする課題】
【０００５】
そこで、本発明の目的は、セクタ間でのハンドオーバ等のように、基地局間でＨＳＤＰＡチャネルの送信タイミングがそろっている場合に、ＨＳＤＰＡ通信を一旦切断することなく、ハンドオーバを行うことができる移動通信システム、携帯端末装置及びそれらに用いるハンドオーバ制御方法を提供することにある。
【課題を解決するための手段】
【０００６】
本発明による移動通信システムは、移動自在な携帯端末装置と基地局装置との間でＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信を行う。携帯端末装置は、ハンドオーバ元の基地局装置とハンドオーバ先の基地局装置とからＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）を同時に受信する受信部を備えている。
【０００７】
本発明による携帯端末装置は、移動自在でかつ基地局装置との間でＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信を行う。携帯端末装置は、ハンドオーバ元の基地局装置とハンドオーバ先の基地局装置とからＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）を同時に受信する受信部を備えている。
【０００８】
本発明によるハンドオーバ制御方法では、移動自在な携帯端末装置と基地局装置との間でＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信が行われる。前記携帯端末装置が、ハンドオーバ元の基地局装置とハンドオーバ先の基地局装置とからＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）を同時に受信する。
【０００９】
すなわち、本発明の移動通信システムは、ＨＳＤＰＡ（Ｈｉｇｈ  Ｓｐｅｅｄ  Ｄｏｗｎｌｉｎｋ  Ｐａｃｋｅｔ  Ａｃｃｅｓｓ）通信において、ハンドオーバの際に通信が途切れる時間を短縮する。より具体的に説明すると、本発明の移動通信システムでは、移動端末がハンドオーバを行おうとする場合、移動端末の移動によって通信中のある一定期間２つの基地局から同時にＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）を受信する。この場合には、移動端末が受信できるＨＳ−ＳＣＣＨの数は最大４つと決まっているため、２つの基地局から受信するＨＳ−ＳＣＣＨの数の合計が４を超えない。
【発明の効果】
【００１０】
これによって、本発明の移動通信システムでは、セクタ間でのハンドオーバ等のように、基地局間でＨＳＤＰＡチャネルの送信タイミングがそろっている場合に、ＨＳＤＰＡ通信を一旦切断することなく、ハンドオーバすることが可能となり、無瞬断のハンドオーバが可能となる。
【図面の簡単な説明】
【００１１】
【図１】図１は、本発明の一実施例による移動通信システムの構成を示すブロック図である。
【図２】図２は、図１の移動端末１１の受信部の構成を示すブロック図である。
【図３】図３は、本発明の一実施例による移動端末の動作を示すフローチャートである。
【図４】図４は、本発明の一実施例による移動端末におけるＨＳ−ＳＣＣＨの受信を表す図である。
【図５】図５は、図１の基地局における信号強度を表す図である。
【発明を実施するための形態】
【００１２】
以下に、本発明の移動通信システムについて図面を参照して詳細に説明する。
図１は、本発明の一実施例による移動通信システムの構成を示すブロック図である。図１においては、携帯電話機等の移動端末１１が基地局１２と基地局１３のエリア内を移動する。この場合、基地局１２、１３はＨＳＤＰＡ対応の基地局である。このときの移動端末が移動端末１１’、１１”として示されており、２つの基地局１２，１３からのＨＳ−ＳＣＣＨ（Ｈｉｇｈ  Ｓｐｅｅｄ  Ｓｈａｒｅｄ  Ｃｏｎｔｒｏｌ  Ｃｈａｎｎｅｌ）を受信する。
【００１３】
図２は、図１の移動端末１１の受信部の構成を示すブロック図である。図２において、移動端末１１は、乗算器２１〜２４と、ＨＳ−ＳＣＣＨ逆拡散器（＃１）２５と、ＨＳ−ＳＣＣＨ逆拡散器（＃２）２６と、ＨＳ−ＳＣＣＨ逆拡散器（＃３）２７と、ＨＳ−ＳＣＣＨ逆拡散器（＃４）２８とを含んでいる。乗算器２１〜２４は、受信信号にＨＳ−ＳＣＣＨのＣｈａｎｎｅｌｉｓａｔｉｏｎ  Ｃｏｄｅを乗算し、ＨＳ−ＳＣＣＨ逆拡散器（＃１）２５、ＨＳ−ＳＣＣＨ逆拡散器（＃２）２６、ＨＳ−ＳＣＣＨ逆拡散器（＃３）２７、ＨＳ−ＳＣＣＨ逆拡散器（＃４）２８は、乗算器２１〜２４からの乗算結果に対して逆拡散を行い、受信信号からＨＳ−ＳＣＣＨを取り出す。
【００１４】
図５は図１の基地局１２，１３における信号強度を表す図である。図５において、閾値５１はある一定値である。移動端末１１，１１’，１１”の基地局１２，１３からの受信電力差が閾値５１を超えると、ＳＨＯ（ｓｏｆｔ  ｈａｎｄｏｖｅｒ）中の基地局を、ＨＳ−ＳＣＣＨが受信されている基地局に切替える。
【００１５】
図３は本発明の一実施例による移動端末の動作を示すフローチャートであり、図４は本発明の一実施例による移動端末におけるＨＳ−ＳＣＣＨの受信を表す図である。これらを参照して本発明の一実施例による移動通信システムの動作について説明する。
【００１６】
携帯端末１１は、図１に示すように、移動しており、移動端末１１の位置→移動端末１１’の位置→移動端末１１”の位置と移動するものとする。移動端末１１の位置にある時には基地局１２からのＨＳ−ＳＣＣＨのみを受信している。移動端末１１’の位置に移動して個別チャンネルのＤＣＨ（Ｄｅｄｉｃａｔｅｄ  Ｃｈａｎｎｅｌ）がＳＨＯ状態となった場合、移動端末１１’は基地局１２からのＨＳ−ＳＣＣＨを２本に制限し、基地局１３からのＨＳ−ＳＣＣＨを２本受信する。さらに、移動端末１１”の位置へと移動した場合、移動端末１１”は基地局１２からのＨＳ−ＳＣＣＨの受信をやめ、基地局１３からのＨＳ−ＳＣＣＨを４本受信する。
【００１７】
移動端末１１’の位置ではＨＳ−ＳＣＣＨ検出が、図２に示される構成にて行われる。移動端末１１’は最大４つのＨＳ−ＳＣＣＨを同時に受信することができる能力を持たなくてはならない。このため、ＨＳ−ＳＣＣＨの逆拡散器を４つ［ＨＳ−ＳＣＣＨ逆拡散器（＃１）２５、ＨＳ−ＳＣＣＨ逆拡散器（＃２）２６、ＨＳ−ＳＣＣＨ逆拡散器（＃３）２７、ＨＳ−ＳＣＣＨ逆拡散器（＃４）２８］備えている。
【００１８】
基地局１２から受信されるＨＳ−ＳＣＣＨ１及びＨＳ−ＳＣＣＨ２は乗算器２１，２２で基地局１２のＳｃｒａｍｂｌｉｎｇ  Ｃｏｄｅが乗算され、ＨＳ−ＳＣＣＨのＣｈａｎｎｅｌｉｓａｔｉｏｎ  Ｃｏｄｅが乗算された後に逆拡散が行われる。
基地局１３から受信されるＨＳ−ＳＣＣＨ３及びＨＳ−ＳＣＣＨ４は乗算器２１，２２で基地局１３のＳｃｒａｍｂｌｉｎｇ  Ｃｏｄｅが乗算され、ＨＳ−ＳＣＣＨのＣｈａｎｎｅｌｉｓａｔｉｏｎ  Ｃ  ｏｄｅが乗算された後に逆拡散が行われる。
【００１９】
移動端末１１の位置にいる場合、移動端末１１は基地局１２からのＨＳ−ＳＣＣＨを４本受信している（図３ステップＳ１）。移動端末が移動して、移動端末１１’の位置になった場合、この位置１１’で基地局１２及び基地局１３の間でＳＨＯ状態になると（図３ステップＳ２）、基地局１２から受信されるＨＳ−ＳＣＣＨの数が２本に制限され（図３ステップＳ３）、さらに、基地局１３からのＨＳ−ＳＣＣＨが２本受信開始される（図３ステップＳ４）。こうして、基地局１２及び基地局１３の両方からＨＳ−ＳＣＣＨが受信される。
【００２０】
移動端末１１’は基地局１３から受信されるＨＳ−ＳＣＣＨから自端末宛の情報が一度でも検出された場合（図３ステップＳ５）、基地局１２からのＨＳ−ＳＣＣＨ受信を停止し（図３ステップＳ６）、基地局１３からのＨＳ−ＳＣＣＨ受信を２本から４本へ増やす（図３ステップＳ７）。
【００２１】
図４において、矢印で示した番号は図３に示すフローチャートの各ステップとの対応を示している。矢印Ｓ３（ステップＳ３に対応）までは移動端末１１’が基地局１２からのＨＳ−ＳＣＣＨを４本受信している。矢印Ｓ３でネットワーク側からのシグナリングによってＤＣＨが基地局１３とのＳＨＯとなった場合、移動端末１１’が基地局１２から受信するＨＳ−ＳＣＣＨを２本とし、矢印Ｓ４（ステップＳ４に対応）で基地局１３からのＨＳ−ＳＣＣＨを２本受信開始する。
【００２２】
矢印Ｓ５（ステップＳ５に対応）でネットワーク側からのシグナリングによって基地局１２からのＤＣＨ送信が指示され、基地局１３からのＤＣＨ受信のみとなる場合、矢印Ｓ６（ステップＳ６に対応）で移動端末１１’が基地局１２からのＨＳ−ＳＣＣＨ受信を停止し、矢印Ｓ７（ステップＳ７に対応）で基地局１３からのＨＳ−ＳＣＣＨ受信を４本とする。
【００２３】
このように、本実施例では、ＨＳＤＰＡチャネルのタイミングがそろっている基地局１２，１３間のハンドオーバで、ＨＳＤＰＡ通信をいったん切断することなく、ハンドオーバが可能となり、無通信時間を短縮することができる。
【００２４】
尚、本実施例では移動端末１１’が基地局１２，１３各々から２本ずつＨＳ−ＳＣＣＨを受信しているが、移動端末１１’が基地局１２，１３各々から受信するＨＳ−ＳＣＣＨの合計が４本以下であれば、ＨＳ−ＳＣＣＨの割り当て方法については、本実施例のように２本ずつに必要はなく、これに限定されない。
【００２５】
また、本実施例では移動端末１１，１１’，１１”が受信するＨＳ−ＳＣＣＨを最大４本としているが、移動端末１１，１１’，１１”で受信できるＨＳ−ＳＣＣＨを８本とすることによって、ハンドオーバ元とハンドオーバ先との合計８本全てのＨＳ−ＳＣＣＨを受信してもよい。
【００２６】
さらに、本実施例ではＳＨＯ中の基地局１２，１３に対して移動端末１１’からの送信信号強度を基にどちらか一方の基地局からのみ、当該移動端末１１’宛のＨＳ−ＳＣＣＨを送信するように制御を行っているが、このような制御を行わず、各基地局１２，１３で独自に送信を行ってもよい。その場合、移動端末１１’側では受信品質等による移動端末１１’側独自の判断によって受信する基地局を選択してもよい。
【００２７】
一方、本実施例ではハンドオーバ元の基地局１２とハンドオーバ先の基地局１３とでＨＳ−ＳＣＣＨに割り当てられるＣｈａｎｎｅｌｉｓａｔｉｏｎ  Ｃｏｄｅが同じである場合を想定しているが、ＳＨＯ開始／終了のシグナリングに応じて移動端末１１’でデコードするＣｈａｎｎｅｌｉｓａｔｉｏｎ  Ｃｏｄｅを変更することも可能であるため、基地局１２，１３間で独自のＣｏｄｅ割り当てを行うことも可能である。
【００２８】
また、本実施例では移動端末１１’が一定期間基地局１２，１３の両方から２本ずつＨＳ−ＳＣＣＨを受信しているが、移動端末１１’での各基地局１２，１３からの受信信号品質に応じてどちらか一方の基地局からのみ４本のＨＳ−ＳＣＣＨを受信するように切替える制御を行ってもよい。
【００２９】
さらに、その場合、移動端末１１’からの受信品質報告に基づいて品質の良い基地局からのみ当該移動端末１１’宛のＨＳ−ＳＣＣＨを送信するような制御を行って移動端末１１’で待ち受け、基地局切替えと送信する基地局の切替えとが一致するようにし、基地局１２，１３が無駄なＨＳ−ＳＣＣＨやＨＳ−ＰＤＳＣＨを送信しないような制御を行う。移動端末が前記複数の基地局装置から受信するＨＳ−ＳＣＣＨの数が前記受信可能なＨＳ−ＳＣＣＨの受信数を超えないように制御されている。
【００３０】
さらにまた、本実施例では、基地局間のＨＳ−ＳＣＣＨのタイミングがそろっている場合について述べたが、基地局間のＨＳ−ＳＣＣＨのタイミングが必ずしもそろっている必要はない。
【００３１】
本発明は、携帯電話システム等の移動通信システムにおける基地局または携帯電話機等の携帯端末装置において、上記のＨＳＤＰＡ通信に対応した装置に適用することができる。
【００３２】
本発明は、以下に述べるような構成及び動作とすることで、セクタ間でのハンドオーバ等のように、基地局間でＨＳＤＰＡチャネルの送信タイミングがそろっている場合に、ＨＳＤＰＡ通信を一旦切断することなく、ハンドオーバを行うことができるという効果が得られる。
【符号の説明】
【００３３】
１１，１１’，１１”  移動端末
１２，１３  基地局
２１〜２４  乗算器
２５  ＨＳ−ＳＣＣＨ逆拡散器＃１
２６  ＨＳ−ＳＣＣＨ逆拡散器＃２
２７  ＨＳ−ＳＣＣＨ逆拡散器＃３
２８  ＨＳ−ＳＣＣＨ逆拡散器＃４
５１  閾値
【図１】
2014053922.tif 000003
【図２】
2014053922.tif 000004
【図３】
2014053922.tif 000005
【図４】
2014053922.tif 000006
【図５】
2014053922.tif 000007